(57)【要約】【課題】  機密書類等の裁断処理中にこの書類を外部から遮断し、外部に風等で飛散するのを防止し、雨水等の進入を防止できる機密書類の裁断，回収に適する塵芥収集車を提供すること。【解決手段】  シャシー１の後部に搭載したケーシング２内に配設したシュレッダー３と、このシュレッダー３に連設されてシュレッダー３で粉砕された塵芥物をケーシング２内に順次送り込む送り機構とを備えている塵芥収集車において、ケーシング２の開口端部に開閉自在に設けた左右一対の横扉４，５及び上扉６と、シュレッダー３の下部において出没自在に配置した踏み台７と、シュレッター３の切り歯３ａに対向して折り畳み自在に配設したガイドテーブル８とを備えてなる。【選択図】  図２
2007196777.tif 000002
【特許請求の範囲】
【請求項１】
シャシーの後部に搭載したケーシング内に配設したシュレッダーと、このシュレッダーに連設されてシュレッダーで粉砕された塵芥物をケーシング内に順次送り込む送り機構とを備えている塵芥収集車に於いて、ケーシングの開口端部に開閉自在に設けた左右一対の横扉及び上扉と、シュレッダーの下部に於いて出没自在に配置した踏み台と、シュレッダーの切り歯に対向して折り畳み自在に配設したガイドテーブルとを備えた塵芥収集車。
【請求項２】
踏み台は水平なステップと、ステップの左右と背部とにそれぞれ起立する巾木と、ステップの前側下部に折り畳み自在に起立させた一つ又は複数のアウトリガーと、ケーシングの内部取付部と上記左右の巾木との間に架設されてステップを出没させる伸縮自在なリンク又はシリンダとで構成している請求項１に記載の塵芥収集車。
【請求項３】
ガイドテーブルはシュレッダーを収容するハウジングの開口部にシュレッダーと対向して起倒自在に結合した左右一対のブラケットと、ブラケットの下部に架設した支持板と、支持板に対向しながら上記ブラケットの端部に折り畳み自在に結合したガイド板と、ガイド板の端部に形成した湾曲部とで構成されている請求項１又は２に記載の塵芥収集車。
【請求項４】
左右一対の横扉が観音扉からなり、各横扉の上部に網と、この網を開閉するシートとからなる窓枠を形成している請求項１，２又は３に記載の塵芥収集車。
【発明の詳細な説明】
【技術分野】
【０００１】
本発明は、塵芥収集車に関し、特に、機密文書等を現場で粉砕して回収し、これを焼却施設や製紙加工メーカー等に輸送するシュレッダー装置を備えた塵芥収集車に関する。
【背景技術】
【０００２】
一般に、官庁，民間企業では日々多数の書類が出され、この書類の中には多数の機密文章が含まれている場合が多い。
【０００３】
この為、従来は、この機密文書をそのまま廃棄することは機密保持のため好ましくなく、現場でシュレダー等の裁断装置により裁断している。
【０００４】
一方、これらの裁断した多数の紙くずをそのままゴミ処理して廃棄することは資源上好ましくないため、民間のゴミ回収業者が回収車でこの紙くずを回収して紙加工メーカーまで運搬して再生処理している。
【０００５】
又、紙くずが再生処理に適しない場合には回収車で回収した後に焼却施設まで搬送して焼却させている。
【０００６】
しかしながら、上記のように官庁，企業が多数の機密書類をシュレッダーで裁断処理する作業が面倒であり、人的負担が多く、又各部所ごとにシュレッダーを用意する必要があるから、買入経費が嵩み、シュレッダーの設置スペースにも制約がある。
【０００７】
この為、近年は、シュレッダー等の裁断設備を搭載した回収車たる塵芥収集車を回収業社が官庁や各企業を訪問し、その現場で機密書類を裁断してそのまま塵芥収集車に収容し、次いで、回収した紙くずを紙加工メーカーや焼却施設に搬送するサービスが取入れられるようになっている。
【０００８】
そして、上記の裁断設備を搭載した塵芥収集車として、例えば、特許文献１に開示されたものが開発されている。
【０００９】
この塵芥収集車は、シャシーに搭載したケーシングと、ケーシング内に配設したシュレッダーと、シュレッダーに連設した送り機構と、シュレッダーの投入口の上方に開閉自在に設けた蓋状カバーと、からなるものである。
【００１０】
この塵芥収集車で機密書類等を裁断する場合は、蓋状カバーを開け、踏み台上から作業者が機密書類をシュレッダーに投入して裁断し、更に送り機構でケーシング内に順次送り込むようにするものである。
【特許文献１】特許第３１８８８０号公報（図面，詳細な説明参照）
【発明の開示】
【発明が解決しようとする課題】
【００１１】
しかしながら、上記従来の塵芥収集車は、蓋状カバーを上方に押し上げると、直接シュレッダーの投入口が外部に露出するから、踏み台上から裁断処理する機密書類における文書、データ、図面等が外部から見えたり、裁断処理中に風であおられて外部に飛散したりして完全な機密保持が出来ない場合がある。
【００１２】
更に、裁断された紙くずが飛び散ったり、雨天時には雨水が侵入したりする恐れのあり、この場合には、飛び散った紙くずの余分な回収作業が必要になり、あるいは、紙の乾燥作業が必要となる不具合がある。
【００１３】
そこで、本発明の目的は、機密書類等の裁断処理中にこの書類等を外部から遮断し、外部に風等で飛散するのを防止し、雨水等の侵入を防止できる機密書類の裁断，回収に適する塵芥収集車を提供することである。
【課題を解決するための手段】
【００１４】
上記の目的を達成するため、本発明の手段は、シャシーの後部に搭載したケーシング内に配設したシュレッダーと、このシュレッダーに連設されてシュレッダーで粉砕された塵芥物をケーシング内に順次送り込む送り機構とを備えている塵芥収集車に於いて、ケーシングの開口端部に開閉自在に設けた左右一対の横扉及び上扉と、シュレッダーの下部に於いて出没自在に配置した踏み台と、シュレッダーの切り歯に対向して折り畳み自在に配設したガイドテーブルとを備えたことを特徴とするものである。
【発明の効果】
【００１５】
本発明によれば、次の効果を達成できる。
【００１６】
１）ケーシングの開口端部に左右一対の横扉と上扉が開閉自在に設けられているから、機密文書等を裁断処理する時横方向，上方向から風や雨水が侵入するのが防止され、その結果処理中の紙が外部に飛散するのが防止でき、水滴が付着するのを防止できる。
【００１７】
２）機密書類等が外部に飛散しないので飛散した紙を再度回収する余分な作業が不要となる。
【００１８】
３）機密書類等が外部から遮断されているので関係者以外の人が側にいても外部から機密の文書、データ、図面等が見られる危険が無い。
【００１９】
４）踏み台が出没自在に配置されているから、作業の初めにこの踏み台を外部に引き出すだけで作業位置に設置でき、作業が終了した時この踏み台をケーシング内に格納でき、わざわざ踏み台を持ってきたり、撤去する作業が不要となる。
【００２０】
５）シュレッダーに対向して折り畳み自在にガイドテーブルが配設されているから、使用時にはこのガイドテーブルを張出して利用しながら機密書類類をスムースにシュレッダー方向に送り出すことができ、作業終了時には折り畳んでケーシング側に格納できる。
【発明を実施するための最良の形態】
【００２１】
以下、本発明の実施形態を図に基づいて説明するが、本発明の塵芥収集車は、図１に示すように、シャシー１上に搭載したケーシング２を有し、このケーシング２内に所定のシュレッダー３や送り機構が組込まれているものである。
【００２２】
即ち、この実施の一例に係る塵芥収集車は、従来と同じく、シャシー１の後部に搭載したケーシング２内に配設したシュレッダー３と、このシュレッダー３に連設されてシュレッダー３で粉砕された機密書類等の被塵芥物をケーシング２内に順次送り込む送り機構とを備えているものである。
【００２３】
そして、本発明では、更に、図２から分かるように、ケーシング１の開口端部に開閉自在に設けた左右一対の横扉４，５及び上扉６と、シュレッダー３の下部において出没自在に配置した踏み台７と、シュレッダー３の切り歯３ａに対向して折り畳み自在に配設したガイドテーブル８とを備えている。
【００２４】
踏み台７は、水平なステップ９と、ステップ９の左右と背部とにそれぞれ起立する巾木１０，１１，１２と、ステップ９の前側下部に折り畳み自在に起立させた一つ又は複数のアウトリガー１３，１３と、ケーシング２の内部取付部と上記左右の巾木１０，１１との間に架設されてステップ９を出没させる伸縮自在な油圧又は空圧シリンダ１４とで構成している。
【００２５】
シリンダ１４に置き換えて、伸縮自在なリンク機構、レールとローラとを使用しても良い。
【００２６】
ガイドテーブル８は、シュレッダー３を収容するハウジング１５の開口部にシュレッダー３と対向してヒンジ又は軸を介して起倒自在に結合した左右一対の板状ブラケット１６，１７と、ブラケット１６，１７の下部に水平に架設した支持板１８と、支持板１８に対向しながら上記ブラケット１６，１７の前側端部にヒンジ又は軸を介して折り畳み自在に結合したガイド板１９と、ガイド板１９の端部中央に形成した湾曲部２０とで構成されている。
【００２７】
この湾曲部２０は、踏み台７に作業者が乗った時身体をこの湾曲部２０にあてがって身体を安定化し、作業をしやすいようにするものである。
【００２８】
左右一対の横扉４，５は、両開き式の例えば観音扉から構成されており、各横扉４，５の上部に網２１と、この網２１を開閉するシート２２とからなる窓枠２３，２３を形成している。
【００２９】
この窓枠２３は、通常シート２２で図３に示すように遮断しているが、夏季のように気温が高い時シート２２を、例えば、下方に剥がして垂れ下げ、網２１のメッシュによって通気性を良くし、作業者が快適に作業できるようにしている。
【００３０】
次に、作業の順序について説明すると、通常は、図１，図３に示すように、シュレーダー３と、踏み台７とガイドテーブル８は、全てケーシング２内に格納され、左右の扉４，５と上扉６を閉じている。
【００３１】
作業時には、図４に示すように、ヒンジ２４を介してこれらの扉４，５を開き、次いで、図５に示すように、ヒンジ２５を介して上扉６を上方に押し上げて開く。
【００３２】
次に、図７に示すように、シリンダ１４を介して踏み台７を外部に押し出し、アウトリガー１３，１３を起立してこれを地上に立て、ステップ９を支持する。
【００３３】
最後に、図２に示すように、ブラケット１６，１６を回転して水平にし、更に、ガイド板１９を回転し、ガイドテーブル８全体を水平にしてシュレッダー３の切り歯３ａに対向させる。
【００３４】
この際、温度が高い時は、シート２２を下方に向けて剥がし、編２１によって作業位置の通気性を良くする。
【００３５】
上記の状態で、作業者がステップ９上に乗り込み、処理すべき機密書類等の紙をガイドテーブル８を介してシュレッダー３に送り込み、切り歯３ａで裁断したチップはコンベヤ，螺旋状のブレード等からなる送り機構でケーシング１内に送られながら圧縮される。
【図面の簡単な説明】
【００３６】
【図１】塵芥車の側面図である。
【図２】踏み台とガイドテーブルを突出させた状態の一部拡大斜視図である。
【図３】ケーシングの端部斜視図である。
【図４】左右の扉を開いた状態のケーシングの端部斜視図である。
【図５】上扉を開いた状態のケーシングの端部斜視図である。
【図６】踏み台とガイドテーブルを格納した状態のケーシングの端部斜視図である。
【図７】踏み台を突出させた状態のケーシングの端部斜視図である。
【符号の説明】
【００３７】
1  シャシー
２  ケーシング
３  シュレッター
４，５  横扉
６  上扉
７  踏み台
８  ガイドテーブル
９  ステップ
１３  アウトリガー
１４  シリンダ
【図１】
2007196777.tif 000003
【図２】
2007196777.tif 000004
【図３】
2007196777.tif 000005
【図４】
2007196777.tif 000006
【図５】
2007196777.tif 000007
【図６】
2007196777.tif 000008
【図７】
2007196777.tif 000009